(57)【要約】  【課題】  高容量を確保できることは勿論、広い周波数帯域に用いるのに必要とされる２５０ｐＨ以下の等価直列インダクタンスを実現できる積層コンデンサを得る。  【解決手段】  誘電体層と静電容量を形成するための内部電極１１，２１…とが積層されており、内部電極が実装面２と直交する方向に位置し、該内部電極から引き出された引出電極１２，２２が外部電極３１，３２と電気的に接続されている積層コンデンサ。互いに対向する内部電極１１，２１のそれぞれの引出電極１２，２２の距離ａと、内部電極１１，２１から実装面２までの距離ｂ1，ｂ2との関係が、１．６４ａ＋（ｂ1＋ｂ2）≦０．８５（但し、ａ，ｂ1，ｂ2の単位はｍｍ）を満足している。  【選択図】  図１
2008211238.tif 000002
【特許請求の範囲】
【請求項１】
誘電体層と静電容量を形成するための内部電極とが積層されており、該内部電極が実装面と直交する方向に位置し、該内部電極から引き出された引出電極が積層体の表面に設けた外部電極と電気的に接続されている積層コンデンサにおいて、
互いに対向する第１及び第２の内部電極のそれぞれの引出電極の距離ａと、第１の内部電極から実装面までの距離ｂ1と、第２の内部電極から実装面までの距離ｂ2との関係が以下の式を満足すること、
１．６４ａ＋（ｂ1＋ｂ2）≦０．８５
但し、ａ，ｂ1，ｂ2の単位はｍｍ
を特徴とする積層コンデンサ。
【発明の詳細な説明】
【技術分野】
【０００１】
本発明は、積層コンデンサ、特に、光通信モジュール等の高周波回路に用いられ、広帯域での通過特性を有する積層コンデンサに関する。
【背景技術】
【０００２】
近年、高速通信の拡大に伴って、光ファイバ通信などに代表される高速光通信が急速に進展している。このような高速光通信用の電子部品については、１０ｋＨｚ〜４０ＧＨｚという広い周波数帯域における通過特性が必要とされている。
【０００３】
光通信で高速伝送を行うデバイスには、電気信号と光信号とを変換するＥ／Ｏモジュールと、広帯域で高周波信号を増幅する増幅器が必要である。このようなデバイスを用いた回路に使用されるコンデンサは広帯域でのカップリング能力が要求されている。
【０００４】
従来、この種の高周波回路には、単板のマイクロチップコンデンサが用いられていた。しかし、単板のマイクロチップコンデンサはその構造からインダクタンスを低く設定できるが、静電容量を大きくとることができないという問題点を有していた。しかも、基板上の配線との接続にはワイヤや金属板を必要とするため、結果的にインダクタンスが大きくなっていた。
【０００５】
一方、誘電体層と静電容量を形成するための内部電極とを積層した積層コンデンサが種々提供されており、一般的な積層コンデンサでは大きな静電容量を確保できるが、インダクタンスをあまり低くすることができないという問題点を有している。入出力端子を多端子構造にすることでインダクタンスを低くする対策が考えられているが、基板の配線が複雑になり、基板の配線におけるインダクタンスが大きくなるという新たな問題点が発生している。それゆえ、二端子の単純な構造で、高容量、低インダクタンスの積層コンデンサが要望されている。
【０００６】
ところで、特許文献１には、基板への実装面に外部接続用の電極を設けた積層コンデンサが提案されている。この積層コンデンサの場合、積層体の両端面に外部電極が形成されている従来の一般的な積層コンデンサと比べて、外部電極が実装面に位置することによって、インダクタンスを低減できる効果を奏する。
【０００７】
一方、コンデンサの通過特性は、コンデンサの共振周波数より低い帯域では静電容量が影響し、高い帯域ではインダクタンスが影響する。そして、１０ｋＨｚ〜４０ＧＨｚの広い周波数帯域に用いるコンデンサにあっては、例えば、静電容量が０．１μＦで、インダクタンス（等価直列インダクタンス、以下単にＥＳＬと称する）が２５０ｐＨの特性が必要とされる。
【０００８】
前記特許文献１に記載の積層コンデンサでは、他の一般的な積層コンデンサに比べてＥＳＬを低くすることが可能ではあるが、それでもＥＳＬ２５０ｐＨ以下を実現することはできないのが現状である。
【特許文献１】特開平１１−２８８８３９号公報（図１、図２、図３）
【発明の開示】
【発明が解決しようとする課題】
【０００９】
そこで、本発明の目的は、高容量を確保できることは勿論、広い周波数帯域に用いるのに必要とされる２５０ｐＨ以下のＥＳＬを実現できる積層コンデンサを提供することにある。
【課題を解決するための手段】
【００１０】
以上の目的を達成するため、本発明は、誘電体層と静電容量を形成するための内部電極とが積層されており、該内部電極が実装面と直交する方向に位置し、該内部電極から引き出された引出電極が積層体の表面に設けた外部電極と電気的に接続されている積層コンデンサにおいて、互いに対向する第１及び第２の内部電極のそれぞれの引出電極の距離ａと、第１の内部電極から実装面までの距離ｂ1と、第２の内部電極から実装面までの距離ｂ2との関係が以下の式を満足すること、
１．６４ａ＋（ｂ1＋ｂ2）≦０．８５
但し、ａ，ｂ1，ｂ2の単位はｍｍ
を特徴とする。
【００１１】
本発明者は、積層コンデンサに関して種々の実験を行って検討した結果、互いに対向する第１及び第２の内部電極の一方の引出電極と他方の引出電極との距離ａと、第１及び第２の内部電極から実装面までの距離ｂ1，ｂ2がインダクタンスに大きな影響を与えていることを見出した。
【００１２】
即ち、ＥＳＬの値を固定して、距離ａ，ｂ1，ｂ2の関係を検討した結果、特に、距離ａの影響が大きく、かつ、ＥＳＬの値に拘わりなく１．６４の係数が存在することを見出した。そこで、前記式を満足することにより、広い周波数帯域でＥＳＬが２５０ｐＨ以下の特性を実現することができた。
【発明の効果】
【００１３】
本発明によれば、誘電体層と静電容量を形成するための内部電極を、該内部電極が実装面と直交する方向に位置するように積層した積層コンデンサにおいて、内部電極及びその引出電極を前記式を満足するように設定したため、高容量であることは勿論、広い周波数帯域に用いるのに必要とされる２５０ｐＨ以下のＥＳＬを実現することができる。
【発明を実施するための最良の形態】
【００１４】
以下、本発明に係る積層コンデンサの実施形態について、添付図面を参照して説明する。
【００１５】
（第１実施形態、図１〜図３参照）
本発明の第１実施形態である積層コンデンサは、図１に示すように、長さＬが１．０ｍｍ、幅Ｗが０．５ｍｍのサイズを有している。この積層コンデンサは、複数の誘電体層と静電容量を形成するための複数の内部電極１１，２１…とを積層したもので、内部電極１１，２１…は必要とされるスペックに応じて所定の枚数が内蔵される。また、この積層コンデンサでは、内部電極１１，２１…は積層体１の実装面２と直交する方向に位置している。
【００１６】
よく知られているように、誘電体層はセラミックグリーンシートとして形成され、該シート上に所定形状の内部電極１１，２１…と引出電極１２，２２を厚膜技術ないし薄膜技術で形成して積層／圧着され、焼成された後、所定の寸法に切り出される。切り出された積層体１の表面には、外部電極３１，３２が導電ペーストの塗布、焼き付け等によって形成される。
【００１７】
内部電極は互いに対向する一対の間に静電容量を形成し、ここでは一対の内部電極１１，２１に関して説明するが、他の内部電極に関しても同様である。内部電極１１，２１は同じ面積で積層体１の同じ位置に設けられており（従って、図１（Ｂ）では内部電極１１，２１は重なって図示されている）、第１の内部電極１１の引出電極１２は外部電極３１と電気的に接続され、第２の内部電極２１の引出電極２２は外部電極３２と電気的に接続されている。
【００１８】
本発明者らは、前記サイズの積層体１内に、内部電極１１，２１の容量有効寸法Ｃを０．３ｍｍとして、引出電極１２，２２の距離ａ、内部電極１１，２１から実装面２までの垂直距離ｂ（但し、ｂ＝ｂ1＋ｂ2、ｂ1＝ｂ2）を種々の値に変更したものを作製し、ＥＳＬを求めた。なお、高さＴは垂直距離ｂ1，ｂ2に応じて変化する。
【００１９】
その結果を以下の表１に示す。表１からは、ＥＳＬが２００ｐＨ、２５０ｐＨ、３００ｐＨになる引出電極間距離ａと垂直距離ｂの組合せを読み取ることができる。
【００２０】
【表１】
2008211238.tif 000003
【００２１】
表１の結果を得た実験は、引出電極間距離ａを０．０５ｍｍ間隔で０．１０〜０．５０ｍｍに設定し、それぞれの距離ａにおいて垂直距離ｂを振り分け、ネットワークアナライザを用いて周波数特性を測定した。表１の垂直距離ｂは、ＥＳＬが２００ｐＨ、２５０ｐＨ、３００ｐＨになったときの値を示している。
【００２２】
図２は、表１の結果をグラフして示したもので、上段の直線はＥＳＬが３００ｐＨ、中段の直線は２５０ｐＨ、下段の直線は２００ｐＨに関するそれぞれの数値関係を示している。図２から明らかなように、距離ａ，ｂの関係は直線を示し、以下の式（１）で近似できる。
【００２３】
１．６４ａ＋ｂ＝Ｋ          …（１）
ａ：引出電極間距離（ｍｍ）
ｂ：垂直距離（ｍｍ）、ｂ1＋ｂ2であり、かつ、ｂ1＝ｂ2
【００２４】
式（１）において、係数ＫはＥＳＬの数値によって変動し、２００ｐＨのときは約０．５７であり、２５０ｐＨのときは約０．８５であり、３００ｐＨのときは約１．１２である。
【００２５】
次に、ＥＳＬの値と前記係数Ｋとの関係を図３のグラフに示す。ＥＳＬとＫは以下の式（２）で求めることができる。
ＥＳＬ（ｐＨ）＝１８０×Ｋ＋９７        …（２）
【００２６】
以上の考察から、以下の式（３）を満足することにより、ＥＳＬが２５０ｐＨ以下の積層コンデンサを得ることができる。静電容量に関しては積層コンデンサの一般的な特性として高容量を確保できることは勿論である。
【００２７】
１．６４ａ＋（ｂ1＋ｂ2）≦０．８５        …（３）
但し、ａ，ｂ1，ｂ2の単位はｍｍ
【００２８】
（変形例、図４参照）
前記第１実施形態においては、引出電極１２，２２の位置や形状及び外部電極３１，３２の位置や形状に関して、種々の変形例を採用することができる。図４にこのような変形例のいくつかを示す。なお、図４に付した符号は図１に付した符号と同じ部材、部分を示している。
【００２９】
（第２及び第３実施形態、図５、図６参照）
前記第１実施形態及びその変形例は引出電極の形状が矩形のものを示した。引出電極は矩形以外であってもよく、そのような実施形態を以下に示す。
【００３０】
図５に示す第２実施形態である積層コンデンサ及び図６に示す第３実施形態である積層コンデンサは、それぞれ、引出電極１２，２２に根元に向かって拡がる三角形状部分１２’，２２’を付加したものである。これらの積層コンデンサにおいても前記式（３）を満足することにより、ＥＳＬが２５０ｐＨ以下の積層コンデンサを得ることができた。なお、図５、図６に付した符号は図１に付した符号と同じ部材、部分を示している。
【００３１】
（他の実施形態）
なお、本発明に係る積層コンデンサは前記実施形態に限定するものではなく、その要旨の範囲内で種々に変更できる。
【００３２】
特に、内部電極やその引出電極の形状の細部、外部電極の位置、形状等は任意である。また、積層体内にはコンデンサ以外に他の素子が内蔵されており、複合電子部品を構成していてもよい。
【図面の簡単な説明】
【００３３】
【図１】本発明に係る積層コンデンサの第１実施形態を模式的に示し、（Ａ）は斜視図、（Ｂ）は正面図。
【図２】本発明に係る積層コンデンサにおける引出電極間距離ａと垂直距離ｂとの関係を示すグラフ。
【図３】本発明に係る積層コンデンサにおける係数ＫとＥＳＬとの関係を示すグラフ。
【図４】前記第１実施形態の種々の変形例を示す正面図。
【図５】本発明に係る積層コンデンサの第２実施形態を模式的に示す正面図。
【図６】本発明に係る積層コンデンサの第３実施形態を模式的に示す正面図。
【符号の説明】
【００３４】
１…積層体
２…実装面
１１…第１の内部電極
１２…引出電極
２１…第２の内部電極
２２…引出電極
３１，３２…外部電極
【図１】
2008211238.tif 000004
【図２】
2008211238.tif 000005
【図３】
2008211238.tif 000006
【図４】
2008211238.tif 000007
【図５】
2008211238.tif 000008
【図６】
2008211238.tif 000009
【手続補正書】
【提出日】平成20年5月8日(2008.5.8)
【手続補正１】
【補正対象書類名】特許請求の範囲
【補正対象項目名】全文
【補正方法】変更
【補正の内容】
【特許請求の範囲】
【請求項１】
誘電体層と静電容量を形成するための内部電極とが積層されており、該内部電極が実装面と直交する方向に位置し、該内部電極から引き出された引出電極が積層体の表面に設けた外部電極と電気的に接続されている積層コンデンサにおいて、
前記内部電極は互いに対向する第１及び第２の内部電極を有し、
前記外部電極は、前記第１の内部電極の引出電極と電気的に接続される第１の外部電極と、前記第２の内部電極の引出電極と電気的に接続される第２の外部電極と、を有し、
前記第１の外部電極は、前記実装面と、前記実装面と対向する上面と、前記実装面及び前記上面を結ぶ第１の側面と、に跨って連続的に形成され、
前記第２の外部電極は、前記実装面と、前記実装面と対向する上面と、前記実装面及び前記上面を結びかつ前記第１の側面と対向する第２の側面と、に跨って連続的に形成され、
前記第１の内部電極は、前記実装面と前記上面と前記第１の側面とにおいて、前記第１の外部電極と電気的に接続され、
前記第２の内部電極は、前記実装面と前記上面と前記第２の側面とにおいて、前記第２の外部電極と電気的に接続され、
互いに対向する第１及び第２の内部電極のそれぞれの引出電極の距離ａと、第１の内部電極から実装面までの距離ｂ1と、第２の内部電極から実装面までの距離ｂ2との関係が以下の式を満足すること、
１．６４ａ＋（ｂ1＋ｂ2）≦０．８５
但し、ａ，ｂ1，ｂ2の単位はｍｍ
を特徴とする積層コンデンサ。
【請求項２】
前記第１の内部電極の引出電極は、前記第１の側面の前記実装面側から前記上面側にかけての寸法と同じ幅をもって前記第１の側面に引き出され、
前記第２の内部電極の引出電極は、前記第２の側面の前記実装面側から前記上面側にかけての寸法と同じ幅をもって前記第２の側面に引き出されていること、
を特徴とする請求項１に記載の積層コンデンサ。
【手続補正２】
【補正対象書類名】明細書
【補正対象項目名】００１０
【補正方法】変更
【補正の内容】
【００１０】
以上の目的を達成するため、本発明は、誘電体層と静電容量を形成するための内部電極とが積層されており、該内部電極が実装面と直交する方向に位置し、該内部電極から引き出された引出電極が積層体の表面に設けた外部電極と電気的に接続されている積層コンデンサにおいて、
前記内部電極は互いに対向する第１及び第２の内部電極を有し、
前記外部電極は、前記第１の内部電極の引出電極と電気的に接続される第１の外部電極と、前記第２の内部電極の引出電極と電気的に接続される第２の外部電極と、を有し、
前記第１の外部電極は、前記実装面と、前記実装面と対向する上面と、前記実装面及び前記上面を結ぶ第１の側面と、に跨って連続的に形成され、
前記第２の外部電極は、前記実装面と、前記実装面と対向する上面と、前記実装面及び前記上面を結びかつ前記第１の側面と対向する第２の側面と、に跨って連続的に形成され、
前記第１の内部電極は、前記実装面と前記上面と前記第１の側面とにおいて、前記第１の外部電極と電気的に接続され、
前記第２の内部電極は、前記実装面と前記上面と前記第２の側面とにおいて、前記第２の外部電極と電気的に接続され、
互いに対向する第１及び第２の内部電極のそれぞれの引出電極の距離ａと、第１の内部電極から実装面までの距離ｂ1と、第２の内部電極から実装面までの距離ｂ2との関係が以下の式を満足すること、
１．６４ａ＋（ｂ1＋ｂ2）≦０．８５
但し、ａ，ｂ1，ｂ2の単位はｍｍ
を特徴とする。